(57)【要約】      （修正有）【課題】湯沸し器や水道等に接続されるフレキシブル管の端部に継手となる係止用つば（フランジ）のプレス加工において、精度の高い加工を効率的に行うことができるつば出し工具を提供する。【解決手段】つば出し工具は、フレキシブル管を挟んで保持する２つの半筒状割り型体からなる保持部材１と、前記保持部材が挿入される外筒体２と、前記外筒体に差し込まれてフレキシブル管の端部を押打してつば出しを行うプレス体３とを備えて構成する。さらに、前記保持部材１は前記２つの半筒状割り型体の下部外周面に下細まりのテーパー面１ａが形成されるとともに、前記保持部材のテーパー面１ａを外筒体２の内部の係止段部２１に係接支持してなる。【選択図】図２
0003180886.tif 000002
【実用新案登録請求の範囲】
【請求項１】
フレキシブル管を挟んで保持する２つの半筒状割り型体からなる保持部材（１）と、前記保持部材が挿入される外筒体（２）と、前記外筒体に差し込まれてフレキシブル管の端部を押打してつば出しを行うプレス体（３）とを備えたつば出し工具であって、
前記保持部材（１）は前記２つの半筒状割り型体の下部外周面に下細まりのテーパー面（１ａ）が形成されるとともに、前記保持部材のテーパー面（１ａ）を外筒体（２）の内部の係止段部（２１）に係接支持してなることを特徴とするつば出し工具。
【請求項２】
前記外筒体（２）の内部の係止段部（２１）は、前記保持部材（１）のテーパー面（１ａ）に対応したテーパー面（２１ａ）に形成し、テーパー同志の面接触で前記保持部材（１）を支持してなることを特徴とする請求項１記載のつば出し工具。
【請求項３】
前記外筒体（２）には、その内部のプレス加工位置に臨む外面部に内部を観視しうる覗き穴（２２）を設けてなることを特徴とする請求項１又は２記載のつば出し工具。
【請求項４】
前記外筒体（２）にセットねじ（２３）を設けた請求項１記載のつば出し工具。
【考案の詳細な説明】
【技術分野】
【０００１】  本考案は、湯沸し器や水道等に接続されるフレキシブル管の端部に継手となる係止用つば（フランジ）をプレス加工するのに使用される好適なつば出し工具に関する。
【背景技術】
【０００２】  フレキシブル管は、図３（ａ）に示すように管体３０の周面に所定ピッチで山３１と谷３２を全長に形成したものであるが管体の端部には図３（ｂ）に示すように数個の山を押し潰して山部より大径の係止用つば３３が形成されている。
このつば（フランジ）３３は、例えば図３（ｃ）に示すように継手ナット３４によりその内部の係止鍔３５に係止されて湯沸し器本体等の出口管３６に接合するのに必要なものである。【０００３】  つば出し工具は、このようなフレキシブル管３０の端部を押打して管端部につば３２をプレス加工するものであるが、従来のつば出し工具は、図５に示す構造のものであった。即ち従来のものは、フレキシブル管３０を挟んで保持する左右２つの半筒状割り型からなる保持部材５１と、この保持部材が挿入される外筒体５２と、この外筒体に上から差し込まれてフレキシブル管３０の端部を押打するプレス体５３とを備えたものからなり、フレキシブル管を保持する保持部材５１は平坦面の底部が外筒体内部の平坦面を有する係止段部に支持され、またこの状態で蝶ねじ５５により横から保持部材５１を押圧して外筒体内に固定するように構成されたものが知られている。（例えば特許文献１乃至２参照）【０００４】  従来のつば出し工具５０は、外筒体５２の内部にフレキシブル管３０を保持した保持部材５１が外筒体に対して遊動状態で挿入され、この状態で上部にプレス体５３をセットしその上からハンマー（図示せず）等で叩打してフレキシブル管３０の上端部に数個の山を押し潰してつば（フランジ）３３が形成されるものである。保持部材５１は平坦面の底部５１ａが外筒体５２の内部の平坦な面の係止段部５２ａに支持されるが、フレキシブル管３０に対して挟持力が緩いので、蝶ねじ５５により保持部材５１を横から押圧して挟持力を高めている。
【先行技術文献】
【特許文献】
【０００５】
【特許文献１】  特許第３８０９２０７号公報
【特許文献２】  特開２０１１−５６５７５公報
【考案の概要】
【考案が解決しようとする課題】
【０００６】  しかし、上記した従来のつば出し工具では、保持部材が外筒体内部に平坦な底面同志で支持されているもののフレキシブル管に対しては蝶ねじだけでは強力に挟持されずこのため、プレスにより上から強大な力を掛けると、外筒体と保持部材の軸心にずれを生じ、その結果フレキシブル管の端部に形成されるつばが管体に対して変位し、さらには蝶ねじにより保持部材を横から押し付ける力も加わって軸心のずれを加速させ、高精度の製品が提供され難いという問題があった。【０００７】  本考案は、上記に鑑みてなされたものであり、保持部材にプレス体による強大な力を加えれば加える程、フレキシブル管に対する挟持力を高めると共に、フレキシブル管上端に形成されるつば（フランジ）は軸心に対してずれのない精度の高い加工が効率的に行うことができ、簡単な構成でコスト的にも有利なつば出し工具を提供することを目的とする。
【課題を解決するための手段】
【０００８】  本考案に係るつば出し工具は、フレキシブル管を挟んで保持する２つの半筒状割り型体からなる保持部材（１）と、前記保持部材が挿入される外筒体（２）と、前記外筒体に差し込まれてフレキシブル管の端部を押打してつば出しを行うプレス体（３）とを備えたつば出し工具であって、前記保持部材（１）は前記２つの半筒状割り型体の下部外周面に下細まりのテーパー面（１ａ）が形成されるとともに、前記保持部材のテーパー面（１ａ）を外筒体（２）の内部の係止段部（２）に係接支持してなることを特徴とする。【０００９】  この構成によると、保持部材が外筒体内部のテーパー面で支持されているために、フレキシブル管の上端部にプレス体による押打力を加えるその力が強ければ強い程フレキシブル管に対する挟持力が強く作用すると同時に軸心にずれを生じないためつばが正確に形成でき、精度を高めることができる。【００１０】  外筒体２の内部の係止段部２１は、保持部材１のテーパー面１ａに対応したテーパー面２１ａに形成することが好ましい。この構成によるとテーパー同志の面接触で保持部材１が支持されるため、保持部材の支持が一層強力になり、プレスの押打でフレキシブル管に対する保持部材の保持力をより強力にすることができる。【００１１】  本考案に係るつば出し工具は、外筒体２の内部のプレス加工位置に臨む外面部に、内部を観視しうる覗き穴２２を設けるようにしてもよい。
この構成によると、プレス体の押打力でフレキブル管の端部につばが形成される度合いを目で確認しながら能率的に作業を行うことができる。【００１２】  また、覗き穴２２に又はこの覗き穴とは別にセットねじ２４を設けることが好ましい。この構成によると、つば出し工具の不使用時又は運搬又は移動する場合等にセットねじを締め付けることで外筒体２の内部に保持部材やプレス体３を組込んだ状態で脱落しないで安全に扱うことができる。
【考案の効果】
【００１３】  本考案に係るつば出し工具によれば、簡単な構造でつば出し加工を行う際に保持部材を蝶ねじで横から押してフレキシブル管を挟持するような手段が不要であり、簡単迅速につば出し加工を行うことができる。
保持部材はテーパー面の作用でプレスによる押打力が強ければ強い程フレキシブル管に対する挟持が強大になり、このためつば出しのプレス加工が迅速且つ高精度に行うことができる。
【図面の簡単な説明】
【００１４】
【図１】  本実施形態のつば出し工具を示す正面図である。
【図２】  （ａ）は図１におけるＡ−Ａ断面図、（ｂ）は収納時の断面図。
【図３】  （ａ）はつばを形成する前のフレキシブル管の正面図、（ｂ）はつばを形成した後のフレキシブル管の正面図、（ｃ）は接合前のフレキシブル管と被接合部の正面図である。
【図４】  保持部材とプレス体及び外筒体の夫々を示す外観斜視図である。
【図５】  従来のつば出し工具の一例を示す断面図。
【考案を実施するための形態】
【００１５】  以下、本考案の実施例を図面について説明する。
【実施例】
【００１６】  図１乃至図４を参照して本考案に係るつば出し工具について実施例を説明する。【００１７】図１及び同２において、外筒体２は上部が上向きに開放した大径の円筒体２ａとその下部に下向きに開放した小径の円筒体２ｂを一連に形成したものからなり、大径の円筒体の内部に保持部材１の収容部２３を有し、小径の円筒体２ｂにはフレシキブル管３０の挿入部２５を有する。大径の円筒体２ａの内部の保持部材収容部２３には底部に保持部材１を支持する係止段部２１が設けられている。【００１８】  この係止段部２１は段状に形成されるが、好ましくは保持部材１のテーパー面１ａに対応したテーパー面２１ａに形成し、テーパー同志の面接触で保持部材１が支持されるようにする。【００１９】  外筒体２には、その外面部に内部を観視しうる覗き穴２２を開設する。この覗き穴の位置は外筒体のプレス加工位置に臨む部位であれば良い。
また、この覗き穴２２にはセットねじ２３を設けて、外筒体２内に保持部材１及びプレス体３を収納した際にはセットねじ２３を締めると内部の部品が不動状に固定されるため脱落を防ぐことができる。【００２０】  保持部材１は、フレキシブル管３０を挟んで保持する２つの半筒状割り型体からなり、割り型体の内面にフレキシブル管３０の山３１と谷３２に係合する凹凸波形の係合部１ｂを有してなり、左右から挟むと係合保持して軸長方向に対して一体となる。又２つの半筒状割り型体の下部外周面は下細まりのテーパー面１ａとなす。【００２１】  プレス体３は短円柱状を呈し、下面にフレキシブル管端部より中空内に嵌入しうるように小突起３１を有する。
【産業上の利用可能性】
【００２２】  本考案に係るつば出し工具は、工場現場での作業性を向上させるとともに、高精度の製品を効率的に提供しコストを大幅に改善するものとして、その産業上の利用可能性は極めて大きい。
【符号の説明】
【００２３】  １  保持部材
１ａ  テーパー面
２  外筒体
３  プレス体
２１  係止段部
２１ａ  テーパー面
２２  覗き穴
２３  セットねじ
３０  フレキシブル管
３１  山
３２  谷
３３  つば
【図１】
0003180886.tif 000003
【図２】
0003180886.tif 000004
【図３】
0003180886.tif 000005
【図４】
0003180886.tif 000006
【図５】
0003180886.tif 000007